(57)【要約】      （修正有）【課題】冷熱圧、パッティング効果を具有すると共に、ユーザーの体のニーズに合わせて、広い面積のマッサージをすることで、血液循環を促進できるマッサージ器を提供する。【解決手段】主に一つの水袋１、複数のマッサージモーター２、一つのタンク、一つの冷熱温度制御装置で構成するマッサージ装置である。水袋１内に一つの保水室１１を具有し、複数のマッサージモーター２は水袋１に分布する。タンクに一つの貯水槽を設け、冷熱温度制御装置をタンクの貯水槽内に設置する。水袋１にある保水室１１内の水とタンクの貯水槽内の水は循環する状態であり、冷熱温度制御装置を通じて、保水室１１内の水の温度を冷たく或いは熱く調整し、人体のニーズに合わせることができる。また、マッサージモーター２により、人体部位の血液循環を促進する。【選択図】図１
0003191117.tif 000002
【実用新案登録請求の範囲】
【請求項１】
一つの水袋、複数のマッサージモーター、一つのタンク、一つの冷熱温度制御装置を含み、
該水袋内に一つの保水室を具有し、
該複数のマッサージモーターは水袋に分布し、
タンクに一つの貯水槽を設け、且つ該貯水槽内の水と水袋にある保水室内の水と互いに通じ、
冷熱温度制御装置をタンクの貯水槽内に設置し、
水袋にある保水室内の水とタンクの貯水槽内の水は循環する状態であり、冷熱温度制御装置を通じて、保水室内の水の温度を冷たく或いは熱く調整し、人体のニーズに合わせることができ、また、該マッサージモーターにより、人体部位の血液循環を促進することを特徴とするマッサージ装置。
【請求項２】
前記水袋に肌と接触する側及び該肌と接触する側と相対する対外側を設け、該複数のマッサージモーターは対外側に設置することを特徴とする請求項１記載のマッサージ装置。
【請求項３】
前記複数のモーターとは振動モーター、或いはパッティングモーター、或いは前述二者の組み合わせとすることを特徴とする請求項１記載のマッサージ装置。
【請求項４】
各マッサージモーターの外側に一つの被覆体を覆い、更に被覆体内に一つの弾性部品を設け、該弾性部品の両端はそれぞれ被覆体及びマッサージモーターと抵触することを特徴とする請求項１記載のマッサージ装置。
【請求項５】
各マッサージモーターの外側に一つの被覆体を覆い、更に被覆体内に一つの弾性部品を設け、該弾性部品の両端はそれぞれ被覆体及びマッサージモーターと抵触することを特徴とする請求項３記載のマッサージ装置。
【請求項６】
更に振動補助セットを水袋の保水室内に設置することができ、該振動補助セットは複数のソフトリブ及び一つの接続シートを含み、且つ該接続シートは該複数のソフトリブの末端と接続することを特徴とする請求項１記載のマッサージ装置。
【請求項７】
更に複数の導流パイプを含み、各導流パイプの一端とタンクの貯水槽が連通し、別端は水袋の保水室と連通することを特徴とする請求項１記載のマッサージ装置。
【請求項８】
前記タンクは更に一つの収納室を設け、該収納室と貯水槽は隔室で設置することを特徴とする請求項１記載のマッサージ装置。
【請求項９】
前記タンクに更に一つの放熱室を設け、該放熱室と貯水槽とは隔室で設置し、該放熱室内に更に複数のファンを設置し、且つ一部の導流パイプは放熱室内に位置することを特徴とする請求項７記載のマッサージ装置。
【請求項１０】
前記タンクの壁面には放熱室に対応して複数の放熱孔を開けることを特徴とする請求項９記載のマッサージ装置。
【考案の詳細な説明】
【技術分野】
【０００１】
本考案はマッサージ装置の構造に関し、マッサージの技術範囲にて応用するものであり、特に肌を刺激することで血液循環を促進し、皮膚を改善するマッサージ器の構造に関する。
【背景技術】
【０００２】
テクノロジーの進歩と景気回復により、現代人の生活レベルはそれに伴ってアップし、より良い生活のクォリティを持つようになっている。衣食が足りている状況で、如何に自分にご褒美を与えるのかが、人々が次に求める目標である。人は長時間座った後、或いはパソコンを使用後や重いものを運んだ後に、往々にして心身ともに疲れて、筋肉痛や眼精疲労など、体に多くの不快な症状が現れる。通常前記の不快感があると、誰もがプロのマッサージ店で不快感を軽減しようとする。しかし、プロのマッサージ店では、定期的に出費があるだけでなく、時間も制限されてしまう。よって関連業者は前記の不便を改善するために、顔、眼球、体…など疲労によって感じる不快感を和らげるマッサージ器を販売している。
【０００３】
市販されているマッサージ器の種類は多く、足部用、体用及び眼球のマッサージ器があり、また、エアバッグタイプや振動タイプ、コールドパック及びホットパックなどのマッサージ器がある。下記に従来技術のマッサージ器の申請案を挙げる。中華民国の特許申請案第Ｍ２６９８９５号の「眼部マッサージ器のエアバッグ」では、当該構造はエアバッグ中央にある左右の二つの非充気部及び該非充気部を囲む充気部を含む。該二つの非充気部は使用する際に、人体の二つの眼球に相対する位置にある。該充気部は使用する際に、人体の二つの眼球の周りに相対する位置にある。上記のエアバッグはエアバッグの背面にある二つのマッサージユニットに合わせて設けることができ、エアバッグに振動力を生じさせることで、エアバッグの充気部分内部の気体に循環するパルスを発生させ、人体の目の周りの非眼球部分のマッサージを行う。該マッサージ効果を具有するパルスは充気部の中で回転するのみであるため、二つの非充気部に位置する眼球に対して圧迫することなく、眼球に不快感を与えず、眼球に対するダメージを軽減することができる。従来技術のマッサージ器はエアバッグ内部の圧力及び気体が発生するパルスのみで眼球をマッサージし、目にのみ適用するため、顔のほかの部位に疲労を感じるとき、或いは血液循環を促進したいときには、別途ほかの機器を購入する必要がある。また、中華民国の特許申請案第Ｍ３８６８９２号の「眼部マッサージ器」は、眼部のマッサージ器であり、それに含まれるのは一つのヘッドバンド及びヘッドバンドの眼部に設置する冷熱パック装置である。該眼部冷熱パック装置に含まれるのは一つの水袋、一つの冷熱伝導部品と一つの半導体電子冷凍部品である。該水袋は人体の目の部位を覆うためのものであり、水袋には冷熱伝導部品を水袋の内部に挿入できる挿入口を設ける。該半導体電子冷凍部品は冷熱伝導部品に設置する。それにより半導体電子冷凍部品を通じて冷熱伝導部品に対し、冷却或いは加熱など、温度のコントロールを行う。該冷熱伝導部品は水袋内部にある液体に対して温度調節をすることで、水袋がホットパック、コールドパックの効果を持つ。本考案の考案者が申請した案件であり、「眼部マッサージ器」の水袋に一つの冷熱伝導部品、一つの半導体電子冷凍部品を全て一緒に設置することで、眼部マッサージの重量が重くなり、長い時間ユーザーの顔に着用しては、不快感が増す。その他、「眼部マッサージ器」のデザインは眼部のみが対象であり、顔全体或いは体のほかの部位にて使用することはできないため、更なる改善が必要であった。
【先行技術文献】
【特許文献】
【０００４】
【特許文献１】特開２００５−５８６９５号公報
【考案の概要】
【考案が解決しようとする課題】
【０００５】
前記従来構造の欠点を解決するため、本考案の第１の目的は、冷熱圧、パッティング効果を具有するマッサージ器の構造を提供することにある。
本考案の第２の目的は、ユーザーの体のニーズに合わせて、広い面積のマッサージをすることで、血液循環を促進できるマッサージ器の構造を提供することにある。
【課題を解決するための手段】
【０００６】
上述の目的を解決するために、本考案はマッサージ装置の構造を提供するものである。それに含まれるのは一つの水袋、複数のマッサージモーター、一つのタンク、一つの冷熱温度制御装置である。該水袋内に一つの保水室を具有し、該複数のマッサージモーターは水袋に分布する。タンクに一つの貯水槽を設け、且つ該貯水槽内の水と水袋にある保水室内の水と互いに通じる。冷熱温度制御装置をタンクの貯水槽内に設置する。
【０００７】
水袋にある保水室内の水とタンクの貯水槽内の水は循環する状態であり、冷熱温度制御装置を通じて、保水室内の水の温度を冷たく或いは熱く調整し、人体のニーズに合わせることができる。また、該マッサージモーターにより、人体部位の血液循環を促進する。
【０００８】
本考案の更なる技術特徴とは、該水袋に肌と接触する側及び該肌と接触する側と相対する対外側を設け、該複数のマッサージモーターは対外側に設置する。且つ複数のモーターとは振動モーター、或いはパッティングモーター、或いは前述二者の組み合わせとする。
【０００９】
本考案は更に、振動モーターの外側に一つの被覆体を覆い、更に被覆体内に一つの弾性部品を設け、該弾性部品の両端はそれぞれ被覆体及び振動モーターと抵触する。
【００１０】
本考案の更なる技術特徴とは、振動補助セットを水袋の保水室内に設置することができる。該振動補助セットは複数のソフトリブ及び一つの接続シートを含み、且つ該接続シートは該複数のソフトリブの末端と接続する。
【００１１】
本考案は更に該タンクに一つの放熱室を設け、該放熱室と貯水槽とは隔室で設置する。該放熱室内に更に複数のファンを設置し、且つ一部の導流パイプは放熱室内に位置する。また、該タンクの壁面には放熱室に対応して複数の放熱孔を開ける。該タンクは更に一つの収納室を設け、該収納室と貯水槽は隔室で設置する。
【考案の効果】
【００１２】
本考案は一つの水袋、複数のマッサージモーター、一つのタンク、一つの冷熱温度制御装置で構成するマッサージ装置である。水袋にある保水室内の水とタンクの貯水槽内の水は循環する状態であり、冷熱温度制御装置を通じて、保水室内の水の温度を冷たく或いは熱く調整し、人体のニーズに合わせることができる。また、該マッサージモーターにより、人体部位の血液循環を促進する。
【００１３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００１４】
【図１】本考案の水袋の立体略図である。
【図２】本考案の水袋の分解略図である。
【図３】本考案の使用状態の透視図である。
【図４】本考案の水袋をタンクに収納する立体図である。
【図５】本考案のタンクの立体略図である。
【図６】図５の断面略図である。
【図７】本考案の水袋とタンクの使用状態図である。
【図８】本考案のマッサージモーターの別の実施例の使用状態図である。
【図９】本考案の水袋を背中に使用する使用状態図である。
【図１０】本考案の水袋を足に使用する使用状態図である。
【考案を実施するための形態】
【００１５】
前記目的と効果に達し、及び本考案の構造と特徴および効果を、最良実施例と図面を参照しながら詳細に説明する。
【実施例】
【００１６】
図１から図６に示すように、本考案はマッサージ装置に係り、それに含まれるのは一つの水袋１、複数のマッサージモーター２、一つのタンク３、一つの冷熱温度制御装置４である。該水袋１内に一つの保水室１１を具有し、保水室１１の水温を調節することで、個々の温度に適応し、血液の循環を促進して体をリラックスさせる効果をもたらす。該複数のマッサージモーター２は水袋１に分布する。該複数のマッサージモーター２は人体に外力からの圧及び振動を与えることで、人体の皮膚を刺激する。タンク３に水を貯水できる一つの貯水槽３１を設け、且つ該貯水槽３１内の水と水袋１にある保水室１１内の水と互いに通じて循環する状態にする。冷熱温度制御装置４(ここではＩＣ冷熱制御チップとする)をタンク３の貯水槽３１内に設置する。冷熱温度制御装置４を通じて貯水槽３１内の水の温度を変える(ユーザーはコントローラーを通じて冷熱温度制御装置４をコントロールできるが、コントローラーは従来技術であるため、ここで特別に当該細部構造及び作動関係について説明をしない)。
【００１７】
本考案は顔や背中、腰、足部など体に応用することができる。図９は顔に使用する際の略図であり、図１０は足部に使用する際の略図である。本考案の主な実施例は顔に応用するものであり、図２に示すように、該水袋１は市販されているマスクの形状のように、顔に合う形状にデザインしている。(他の体の部位については、リラックスしたい範囲に基づき、異なる形状に設定することができる)。水袋１は液体を用いて水袋１と接触する皮膚に冷たい、熱い温度を伝導する。適切に水袋１の温度をユーザーのニーズに調整できるよう、本考案はタンク３の貯水槽３１に冷熱温度制御装置４を設置する。それにより、冷熱温度制御装置４は貯水槽３１内の水を必要な温度にまで加熱、或いは冷却し、水袋１内の水と循環して交換する。
【００１８】
本考案の冷熱温度制御装置４を貯水槽３１内に設置しているため、水袋１の全体の重さを軽くすることができると同時に、水袋１の温度を調節することができ、ユーザーが着用して使用するのに便利である。
【００１９】
前記本考案の主な実施例の主な技術特徴は、本考案請求項１の内容と対応し、本考案の目的及び実施形態を熟知することができる。その他の付属請求項目にて述べる技術特徴は請求項１の内容の詳細記述或いは付加の技術特徴であり、請求項１の範囲を制限するものである。本考案の請求項１は必ず付属請求項目にて記述する技術特徴を含む必要はない。
【００２０】
該水袋１に肌と接触する側１２及び該肌と接触する側１２と相対する対外側１３を設け、該複数のマッサージモーター２は対外側１３に設置する。該複数のマッサージモーター２の振動により、保水室１３内の水の波動及び、水を押して流れを起こすことにより発生する振動を水袋１を通じて皮膚に伝える効果を加速する。該複数のマッサージモーター２は複数の振動モーター２１及び複数のパッティングモーター２２を含む。図２に示すように、該振動モーター２１は眼窩及びこめかみの部分に、パッティングモーター２２は頬の部分に位置する。振動モーター２１及びパッティングモーター２２は水袋１が使用する体の部位に基づき、異なる位置に設定することができる。
【００２１】
図８に示すように、皮膚に振動モーター２１が生じる振動の効果をアップするために、本考案は更に振動モーター２１の外側に一つの被覆体２３を覆い、更に被覆体２３内に一つの弾性部品２４を設ける。該弾性部品２４の両端はそれぞれ被覆体２３及び振動モーター２１と抵触するため、振動モーター２１を使用する際に、弾性部品２４に振動を伝えることで、弾性部品２４が被覆体２３及び振動モーター２１を弾き、水袋１に対外側１３から肌に接触する側１２の方向に往復して振動する。保水室１１内の水が多方向からの外力による振動を与えることで、人体は異なる方向の振動を受けるため、疲労を軽減し筋肉を和らげる効果がアップする。 (本考案の図式は被覆体２３及び弾性部品２４を振動モーター２１に設置する状況のみを図示しているが、実際パッティングモーター２２に設置することもできる。当該実施形態は、振動モーター２１に設置するのと同じである。)
【００２２】
この他、別途弾性部品２４及び被覆体２３を追加して、水袋１の人体に与える振動効果をアップするほか、更に振動補助セット１４を水袋１の保水室１１内に設置することができる。該振動補助セット１４は複数のソフトリブ１４１及び一つの接続シート１４２を含み、各ソフトリブ１４１の一端は対外側１３に、別端は肌と接触する側１２に向かって延伸し、且つ該接続シート１４２は該複数のソフトリブ１４１の末端と接続する。図３に示すように、各振動補助セット１４は各マッサージモーター２の配置に対応し、且つ各ソフトリブ１４１の異なる周波数の振動を介し、水袋１の保水室１１内の水が、各方向の波動を生じることができ、ベストな振動効果を得ることができる。
【００２３】
また、更に複数の導流パイプ５を含み、各導流パイプ５の一端とタンク３の貯水槽３３１が連通し、別端は水袋１の保水室１１と連通する。複数の導流パイプ５によって保水室１１及び貯水槽３１内の水を運搬することで、水の冷熱循環の効果に達する。
【００２４】
図４から図６に示すように、該タンク３に更に一つの放熱室３２を設け、該放熱室３２と貯水槽３１とは隔室で設置する。該放熱室３２内に更に複数のファン６を設置し、且つ一部の導流パイプ５は放熱室３２内に位置し、該複数のファン６により、放熱室３２の冷熱対流効果を加速する。
【００２５】
図３から図７に示すように、該タンク３の壁面には放熱室３２に対応して複数の放熱孔３３を開けることで、放熱室３２の放熱効果を加速する。該タンク３は更に一つの収納室３４を設け、該収納室３４と貯水槽３１は隔室で設置する。使用後の水袋１１をタンク３の収納室３４内に収納することができ、収納及び携帯しやすい。
【００２６】
本考案は更にハードタイプの外ケース１０を使用することで、水袋１が外力を受けて破壊するのを避けることができる。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２８】
１  水袋
１０  外ケース
１１  保水室
１２  肌と接触する側
１３  対外側
１４  振動補助セット
１４１  ソフトリブ
１４２  接続シート  
２  マッサージモーター
２１  振動モーター
２２  パッティングモーター
２３  被覆体
２４  弾性部品
３  タンク
３１  貯水槽
３２  放熱室
３３  放熱孔
３４  収納室
４  冷熱制御装置
５  導流パイプ
６  ファン
【図１】
0003191117.tif 000003
【図２】
0003191117.tif 000004
【図３】
0003191117.tif 000005
【図４】
0003191117.tif 000006
【図５】
0003191117.tif 000007
【図６】
0003191117.tif 000008
【図７】
0003191117.tif 000009
【図８】
0003191117.tif 000010
【図９】
0003191117.tif 000011
【図１０】
0003191117.tif 000012